【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
無線通信システムにおいて、端末がＨＡＲＱ−ＡＣＫを送信する方法であって、
ＰＤＣＣＨ、及び前記ＰＤＣＣＨによりスケジューリングされるＰＤＳＣＨを受信するステップと、
上りリンクサブフレームｎにおいて、前記ＰＤＳＣＨに基づくＨＡＲＱ−ＡＣＫ情報を送信するステップと、を含み、
前記上りリンクサブフレームｎにおいて前記ＨＡＲＱ−ＡＣＫ情報を送信するステップは、
第１プロセッシング時間より短い第２プロセッシング時間で設定されない前記端末に基づいて、（ｉ）前記上りリンクサブフレームｎと関連した下りリンクサブフレームの第１集合内の少なくとも１つのＰＤＳＣＨ、及び（ｉｉ）前記下りリンクサブフレームの第１集合に関連したＰＵＣＣＨリソースの第１集合に基づいて、前記ＨＡＲＱ−ＡＣＫ情報を送信するステップと、
前記第２プロセッシング時間で設定される前記端末に基づいて、（ｉ）前記上りリンクサブフレームｎと関連した下りリンクサブフレームの第２集合内の少なくとも１つのＰＤＳＣＨ、及び（ｉｉ）前記下りリンクサブフレームの第２集合に関連したＰＵＣＣＨリソースの第２集合に基づいて、前記ＨＡＲＱ−ＡＣＫ情報を送信するステップと、を含み、
前記下りリンクサブフレームの第２集合は、（ｉ）前記下りリンクサブフレームの第１集合に属する少なくとも１つの下りリンクサブフレーム、及び（ｉｉ）前記下りリンクサブフレームの第１集合に属さない少なくとも１つの下りリンクサブフレームを含み、
前記ＰＵＣＣＨリソースの第２集合は、（ｉ）前記下りリンクサブフレームの第１集合に属する前記少なくとも１つの下りリンクサブフレームに基づく少なくとも１つの第１ＰＵＣＣＨリソース、及び（ｉｉ）前記下りリンクサブフレームの第１集合に属さない前記少なくとも１つの下りリンクサブフレームに基づく少なくとも１つの第２ＰＵＣＣＨリソースを含み、
前記少なくとも１つの第１ＰＵＣＣＨリソースは、前記ＰＵＣＣＨリソースの第１集合に属し、前記少なくとも１つの第１ＰＵＣＣＨリソースと異なる前記少なくとも１つの第２ＰＵＣＣＨリソースは、前記ＰＵＣＣＨリソースの第１集合に属さない、送信方法。
【請求項２】
前記上りリンクサブフレームｎで送信される前記ＨＡＲＱ−ＡＣＫ情報は、前記第１プロセッシング時間と前記第２プロセッシング時間の１つのみに関連する、請求項１に記載の送信方法。
【請求項３】
前記上りリンクサブフレームｎと前記下りリンクサブフレームの第１集合との間の最小間隔は、４サブフレームであり、
前記上りリンクサブフレームｎと前記下りリンクサブフレームの第２集合との間の最小間隔は、３サブフレームである、請求項１又は２に記載の送信方法。
【請求項４】
前記上りリンクサブフレームｎと関連する下りリンクサブフレームの対応する集合内の下りリンクサブフレームの数が所定値以上であることに基づいて、前記下りリンクサブフレームの対応する集合に基づく前記ＨＡＲＱ−ＡＣＫ情報がバンドリングされる、請求項１〜３のいずれか一項に記載の送信方法。
【請求項５】
前記上りリンクサブフレームｎと関連する下りリンクサブフレームの対応する集合内の下りリンクサブフレームの数が所定値以上であることに基づいて、前記下りリンクサブフレームの対応する集合に基づく前記ＨＡＲＱ−ＡＣＫ情報が、特定のＰＵＣＣＨフォーマットで送信される、請求項１〜３のいずれか一項に記載の送信方法。
【請求項６】
前記上りリンクサブフレームｎと関連する前記下りリンクサブフレームの第１集合は、下りリンクサブフレームｎ−ｘを含み、
ｘ∈Ｘであり、Ｘは、以下の表
【表１】
2019525652.tif 000001
で定義されるＭ個の要素｛ｘ０、ｘ１、．．．、ｘＭ−１｝の集合である、請求項１〜５のいずれか一項に記載の送信方法。
【請求項７】
前記下りリンクサブフレームの第２集合のうち、前記下りリンクサブフレームの第１集合に属さない前記少なくとも１つの下りリンクサブフレームは、下りリンクサブフレームｎ−ｙを含み、
ｙ∈Ｙであり、Ｙは、以下の表
【表２】
2019525652.tif 000002
で定義されるＬ個の要素｛ｙ０、ｙ１、．．．、ｙＬ−１｝の集合である、請求項１〜６のいずれか一項に記載の送信方法。
【請求項８】
無線通信システムにおいて、ＨＡＲＱ−ＡＣＫを送信するように構成された端末であって、
送信機及び受信機と、
少なくとも１つのプロセッサーと、
前記少なくとも１つのプロセッサーに動作可能に接続可能な少なくとも１つのコンピュータメモリと、を含み、
前記少なくとも１つのコンピュータメモリは、前記少なくとも１つのプロセッサーにより実行されることに基づいて、
前記受信機を介して、ＰＤＣＣＨ、及び前記ＰＤＣＣＨによりスケジューリングされるＰＤＳＣＨを受信し、
前記送信機を介して、上りリンクサブフレームｎにおいて、前記ＰＤＳＣＨに基づくＨＡＲＱ−ＡＣＫ情報を送信することを含む動作を実行する命令を格納し、
前記上りリンクサブフレームｎにおいて前記ＨＡＲＱ−ＡＣＫ情報を送信することは、
第１プロセッシング時間より短い第２プロセッシング時間で設定されない前記端末に基づいて、（ｉ）前記上りリンクサブフレームｎと関連した下りリンクサブフレームの第１集合内の少なくとも１つのＰＤＳＣＨ、及び（ｉｉ）前記下りリンクサブフレームの第１集合に関連したＰＵＣＣＨリソースの第１集合に基づいて、前記ＨＡＲＱ−ＡＣＫ情報を送信すること、及び、
前記第２プロセッシング時間で設定される前記端末に基づいて、（ｉ）前記上りリンクサブフレームｎと関連した下りリンクサブフレームの第２集合内の少なくとも１つのＰＤＳＣＨ、及び（ｉｉ）前記下りリンクサブフレームの第２集合に関連したＰＵＣＣＨリソースの第２集合に基づいて、前記ＨＡＲＱ−ＡＣＫ情報を送信することを含み、
前記下りリンクサブフレームの第２集合は、（ｉ）前記下りリンクサブフレームの第１集合に属する少なくとも１つの下りリンクサブフレーム、及び（ｉｉ）前記下りリンクサブフレームの第１集合に属さない少なくとも１つの下りリンクサブフレームを含み、
前記ＰＵＣＣＨリソースの第２集合は、（ｉ）前記下りリンクサブフレームの第１集合に属する前記少なくとも１つの下りリンクサブフレームに基づく少なくとも１つの第１ＰＵＣＣＨリソース、及び（ｉｉ）前記下りリンクサブフレームの第１集合に属さない前記少なくとも１つの下りリンクサブフレームに基づく少なくとも１つの第２ＰＵＣＣＨリソースを含み、
前記少なくとも１つの第１ＰＵＣＣＨリソースは、前記ＰＵＣＣＨリソースの第１集合に属し、前記少なくとも１つの第１ＰＵＣＣＨリソースと異なる前記少なくとも１つの第２ＰＵＣＣＨリソースは、前記ＰＵＣＣＨリソースの第１集合に属さない、端末。
【請求項９】
前記上りリンクサブフレームｎで送信される前記ＨＡＲＱ−ＡＣＫ情報は、前記第１プロセッシング時間と前記第２プロセッシング時間の１つのみに関連する、請求項８に記載の端末。
【請求項１０】
前記上りリンクサブフレームｎと前記下りリンクサブフレームの第１集合との間の最小間隔は、４サブフレームであり、
前記上りリンクサブフレームｎと前記下りリンクサブフレームの第２集合との間の最小間隔は、３サブフレームである、請求項８又は９に記載の端末。
【請求項１１】
前記上りリンクサブフレームｎと関連する下りリンクサブフレームの対応する集合内の下りリンクサブフレームの数が所定値以上であることに基づいて、前記下りリンクサブフレームの対応する集合に基づく前記ＨＡＲＱ−ＡＣＫ情報がバンドリングされる、請求項８〜１０のいずれか一項に記載の端末。
【請求項１２】
前記上りリンクサブフレームｎと関連する下りリンクサブフレームの対応する集合内の下りリンクサブフレームの数が所定値以上であることに基づいて、前記下りリンクサブフレームの対応する集合に基づく前記ＨＡＲＱ−ＡＣＫ情報が、特定のＰＵＣＣＨフォーマットで送信される、請求項８〜１０のいずれか一項に記載の端末。
【請求項１３】
前記上りリンクサブフレームｎと関連する前記下りリンクサブフレームの第１集合は、下りリンクサブフレームｎ−ｘを含み、
ｘ∈Ｘであり、Ｘは、以下の表
【表３】
2019525652.tif 000003
で定義されるＭ個の要素｛ｘ０、ｘ１、．．．、ｘＭ−１｝の集合である、請求項８〜１２のいずれか一項に記載の端末。
【請求項１４】
前記下りリンクサブフレームの第２集合のうち、前記下りリンクサブフレームの第１集合に属さない前記少なくとも１つの下りリンクサブフレームは、下りリンクサブフレームｎ−ｙを含み、
ｙ∈Ｙであり、Ｙは、以下の表
【表４】
2019525652.tif 000004
で定義されるＬ個の要素｛ｙ０、ｙ１、．．．、ｙＬ−１｝の集合である、請求項８〜１３のいずれか一項に記載の端末。